(57)【要約】【課題】石膏ボード廃材の再生利用を促進するとともに、原料となる廃棄物の特徴を生かし、目的にあわせて組み合わせ、低コストで市場に受け入れられるコンクリート二次製品を提供することを目的とするものである。【解決手段】石膏ボード廃材の紙を除去した石膏粉末、コンクリート廃材の粉砕物、生コンクリートプラントなどミキサー洗浄時に洗い水とともに排出されるコンクリート汚泥や骨材汚泥、河川堆積土、汚泥などを骨材として用いて適量(求める強度を確保できるセメント量)のセメントで固形化したことを特徴とするコンクリート二次製品。【選択図】      なし【特許請求の範囲】
【請求項１】
石膏ボード廃材の紙を除去した石膏粉末、コンクリート廃材の粉砕物、生コンクリートプラントなどミキサー洗浄時に洗い水とともに排出されるコンクリート汚泥や骨材汚泥、河川堆積土、汚泥などを骨材として用いて適量(求める強度を確保できるセメント量)のセメントで固形化したことを特徴とするコンクリート二次製品。
【請求項２】
石膏ボード廃材の紙を除去した石膏粉末、コンクリート廃材の粉砕物、生コンクリートプラントなどミキサー洗浄時に洗い水とともに排出されるコンクリート汚泥や骨材汚泥、河川堆棟土、汚泥など少なくとも一種を骨材として用いて適量のセメントで固形化したことを特徴とするコンクリート二次製品。
【請求項３】
石膏ボード廃材の紙を除去した石膏粉末、コンクリート廃材を粉砕してつくられた骨材、生コンクリートプラントなどミキサー洗浄時に洗い水とともに排出されるコンクリート汚泥や骨材汚泥、河川堆積土、汚泥など少なくとも一種と、バージン（砂、砂利）骨材と、適量のセメントで固形化したことを特徴とするコンクリート二次製品。
【発明の詳細な説明】
【技術分野】
【０００１】
この発明は、廃棄物の発生状況（量）、強度、軽量、形状など使用目的に応じて、廃棄物を複数、あるいは一種を骨材として有効に利用するコンクリート二次製品に関するものである。
【背景技術】
【０００２】
従来、石膏ボード廃材を活用する方法としては、石膏ボード廃材の紙を除去した石膏粉末を石膏ボード用として再利用する場合、製品のクオリティーを安定化させるためには製品の約５重量％程度しか配合することができず、また、建造物の鉄骨吹付け材、土壌改良材などとしての活用方法もあるが、利用率が低く、石膏ボード廃材はその大半が廃棄物として処分されていた。
【０００３】
他方、コンクリート廃材の粉砕物は、道路建設においての基盤材として活用されるようになってきているが、バージン（砂、砂利）骨材とのコスト比較において、そのコストがさほどかわらないため利用率が低かった。
【０００４】
また、生コンクリートプラントなどミキサー洗浄時に洗い水とともに排出されるコンクリート汚泥や骨材汚泥においては、そのままの状態での活用方法はなく、現状においての活用方法としては適量のセメントを添加して固形化したものを砂利大に粉砕し、再生骨材としている。しかしながら、この再生骨材も、コンクリート汚泥や骨材汚泥の処分費と同等のコスト負担となり、さらに製造物を販売しなくてはならないため排出者にとってはどちらにしても負担となっている。
【０００５】
さらに、河川堆積土、河川汚泥などの活用方法としては、砂、砂利質のような状態のものであればトロンネルで仕分けすれば骨材となるわけであるが、粒子の細かい泥状態のものにおいては資材としての価値はなく、やはり廃棄物として処分されていた。
【０００６】
いずれにしても、石膏ボード廃材やコンクリート廃材の粉砕物、コンクリート汚泥や骨材汚泥、河川堆積土、河川汚泥などを活用する方法としては種々の方法が提案されている。
例えば、特開２００４−５１３９６公報（特許文献１参照）には、無機繊維を含む原材料を水により硬化させた無機繊維と石膏の複合板であって、前記原材料中の、無機繊維、水硬性物質、及び石膏ボード廃材の粉砕物を焼成して得た焼成粉砕物の総和の１０〜８０重量％が無機繊維であり、０〜８０重量％が水硬性物質であり、１０〜８０重量％が焼成粉砕物であることを特徴とする無機繊維と石膏の複合板が記載されている。
特開２００３−２６７７６７公報（特許文献２参照）には、都市ゴミ、都市ゴミ焼却灰、下水汚泥焼却灰の一種以上を溶融して製造した溶融スラグ、あるいは高炉スラグ、製鋼スラグ、銅スラグ、碍子屑から選ばれる一種以上である廃棄物起源材料を骨材として用いた即脱コンクリート製品であって、廃棄物起源材料の最大粒径が１０mm以下であることを特徴とする即脱コンクリート製品が記載されている。
特開２００３−１２８４１６公報（特許文献３参照）には、石膏ボード廃材よりボード原紙を除去した上、石膏ボード廃材を粒子径５ｍｍ以上の粒子が１０重量％以下となるように粉砕し、酸化剤含有水溶液と接触させて得られた再生石膏を、石膏成分の少なくとも一部として含有することを特徴とするポルトランドセメントが記載されている。
特開平１１−１９９２８０号公報（特許文献４参照）には、セメント、骨材からなる植栽用コンクリートブロックにおいて、前記セメントが都市ゴミ焼却灰、下水汚泥焼却灰の一種以上を原料として製造された水硬性組成物であることを特徴とする植栽用コンクリートブロックが記載されている。
【特許文献１】特開２００４−５１３９６公報
【特許文献２】特開２００３−２６７７６７公報
【特許文献３】特開２００３−１２８４１６公報
【特許文献４】特開平１１−１９９２８０号公報
【発明の開示】
【発明が解決しようとする課題】
【０００７】
しかしながら、上記特許文献１に記載された発明は、石膏ボード廃材の粉砕物を焼成して再生利用するものであり、大きな設備や多大なコストを必要とするため、石膏ボード廃材の再生利用にはあまりつながらないという問題があった。
また上記特許文献２に記載された発明は、都市ゴミ、都市ゴミ焼却灰、下水汚泥焼却灰の一種以上を溶融して製造した溶融スラグ、あるいは高炉スラグ、製鋼スラグ、銅スラグ、碍子屑から選ばれる一種以上である廃棄物起源材料を骨材として利用するものであり、大きな設備や多大なコストを必要とするため、石膏ボード廃材の再生利用にはあまりつながらないという問題があった。特に溶融スラグ等に石膏を配合するものであり、石膏ボード廃材の再生利用を主眼としてものではない。
特許文献３に記載された発明は、酸化剤含有の水溶液で該石膏ボード廃材に含まれる有機化合物を酸化分解することを要旨とするものである。したがって、大きな設備や多大なコストを必要とするため、石膏ボード廃材の再生利用にはあまりつながらないという問題があった。
特許文献４に記載された発明は、セメント、骨材からなる植栽用コンクリートブロックであり、前記セメントが都市ゴミ焼却灰、下水汚泥焼却灰の一種以上を原料として製造された水硬性組成物であることを特徴としている。この場合も、都市ゴミ焼却灰、下水汚泥焼却灰の再生利用のみが主眼であり、石膏ボード廃材の再生利用を主眼としてものではない。
【０００８】
いずれにしても、石膏ボード廃材の再生利用を促進するために、原料となる廃棄物の特徴を生かし、目的にあわせて組み合わせ、いかに低コストで市場に受け入れられる商品とするかが問題であった。
したがってこの発明は、石膏ボード廃材の再生利用を促進するとともに、原料となる廃棄物の特徴を生かし、目的にあわせて組み合わせ、低コストで市場に受け入れられるコンクリート二次製品を提供することを目的とするものである。
【課題を解決するための手段】
【０００９】
したがってこの発明のコンクリート二次製品は、石膏ボード廃材の紙を除去した石膏粉末、コンクリート廃材の粉砕物、生コンクリートプラントなどミキサー洗浄時に洗い水とともに排出されるコンクリート汚泥や骨材汚泥、河川堆積土、汚泥などを骨材として用いて適量(求める強度を確保できるセメント量)のセメントで固形化したことを特徴とするものである。
【００１０】
この発明のコンクリート二次製品は、石膏ボード廃材の紙を除去した石膏粉末、コンクリート廃材の粉砕物、生コンクリートプラントなどミキサー洗浄時に洗い水とともに排出されるコンクリート汚泥や骨材汚泥、河川堆棟土、汚泥など少なくとも一種を骨材として用いて適量のセメントで固形化したことをも特徴とするものである。
【００１１】
この発明のコンクリート二次製品は、石膏ボード廃材の紙を除去した石膏粉末、コンクリート廃材を粉砕してつくられた骨材、生コンクリートプラントなどミキサー洗浄時に洗い水とともに排出されるコンクリート汚泥や骨材汚泥、河川堆積土、汚泥など少なくとも一種と、バージン（砂、砂利）骨材と、適量のセメントで固形化したことをも特徴とするものである。
【００１２】
すなわちこの発明のコンクリート二次製品は、石膏ボード廃材の紙を除去した石膏粉末を基本としながら、それぞれの廃棄物の発生、入手土に応じて配合して複合化し、あるいは少なくとも一種をセメントを用いて製品化したものであり、特にその目的・用途に応じて配合をかえることを特徴としている。
ちなみに、
1．軽量化コンクリート二次製品の場合には、比重の軽い石膏粉末を多めに配合する。
2．強度を持たせる場合には、コンクリート塊、バージン骨材の比率を多くし、セメントを多めに配合する。
3．表面の艶を出したい場合には、粒子の細かい汚泥系を多めに配合する。
という配慮が必要である。
【発明の効果】
【００１３】
すなわちこの発明によれば、石膏ボード廃材の再生利用を促進するとともに、原料となる廃棄物の特徴を生かし、目的にあわせて組み合わせ、低コストで市場に受け入れられるコンクリート二次製品を提供することができるようになった。
【発明を実施するための最良の形態】
【００１４】
以下、この発明のコンクリート二次製品の実施の形態を、下記実施例に基いて詳細に説明する。
【実施例１】
【００１５】
骨材として
ａ）石膏ボード廃材の紙を除去した石膏粉末
ｂ）ケーキ：河川汚泥＝１：１
ケーキ…コンクリート廃材の粉砕物、生コンクリートプラントなどミキサー洗浄時に洗い水とともに排出されるコンクリート汚泥や骨材汚泥
河川汚泥…河川堆積土、汚泥
を用い、
適量(求める強度を確保できるセメント量)のセメントと混和材、および水を配合し、
所定の期間養生して固形化した。
そして、表１の実施例１および比較例１を得た。
【表１】
2005325005.tif 000002
得た実施例１のガーデニング用ブロックは製品化に充分な強度を有しており、表面の艶も良好であったが、比較例１のものは強度が不足し、表面の艶も期待するほどのものではなかった。
【実施例２】
【００１６】
骨材として
石膏ボード廃材の紙を除去した石膏粉末…約２０００重量部
を用い、
適量(求める強度を確保できるセメント量)のセメント：約３００重量部と混和材：約３重量部、および水：約２００重量部を配合し、
所定の期間養生して固形化した。
得た実施例２のガーデニング用ブロックは製品化に充分な強度を有しており、白色で表面の艶も良好であった。
【実施例３】
【００１７】
骨材として
ａ）石膏ボード廃材の紙を除去した石膏粉末…約１５００重量部
ｂ）コンクリート廃材を粉砕したコックリート骨材…約１０００重量部
を用い、
適量(求める強度を確保できるセメント量)のセメント：約３００重量部と混和材：約３重量部、および水：約２００重量部を配合し、
所定の期間養生して固形化した。
得た実施例３のガーデニング用ブロックは製品化に充分な強度を有していた。
【実施例４】
【００１８】
骨材として
ａ）石膏ボード廃材の紙を除去した石膏粉末…約７０重量部
ｂ）コンクリート廃材を粉砕したコックリート骨材…約３０重量部
ｃ）ケーキ：河川汚泥＝１：１…約２５００重量部
ケーキ…コンクリート廃材の粉砕物、生コンクリートプラントなどミキサー洗浄時に洗い水とともに排出されるコンクリート汚泥や骨材汚泥
河川汚泥…河川堆積土、汚泥
を用い、
適量(求める強度を確保できるセメント量)のセメント：約３００重量部と混和材：約３重量部、および水：約２００重量部を配合し、
所定の期間養生して固形化した。
得た実施例４のガーデニング用ブロックは高い圧縮強度を有していた。
【実施例５】
【００１９】
骨材として
ａ）石膏ボード廃材の紙を除去した石膏粉末…約７０重量部
ｂ）バージン（砂、砂利）骨材…約３０重量部
ｃ）ケーキ：河川汚泥＝１：１…約２５００重量部
ケーキ…コンクリート廃材の粉砕物、生コンクリートプラントなどミキサー洗浄時に洗い水とともに排出されるコンクリート汚泥や骨材汚泥
河川汚泥…河川堆積土、汚泥
を用い、
適量(求める強度を確保できるセメント量)のセメント：約３００重量部と混和材：約３重量部、および水：約２００重量部を配合し、
所定の期間養生して固形化した。
得た実施例５のガーデニング用ブロックは非常に高い圧縮強度を有していた。
【産業上の利用可能性】
【００２０】
この発明は、石膏ボード廃材の紙を除去した石膏粉末を主な骨材として活用したコンクリート二次製品として様々な製品に利用することができる。例えば、
１）ブロック、フラワーポット、ベンチ、テーブル、偽木等のガーデニング用二次製品、２）車輪留め、インターロッキング等、道路関連用二次製品、
３）集水桝、∪字溝、下水管、下水道関連用二次製品、
４）コンクリート瓦等の屋根材
５）屋外、屋内用のコンクリート製各種壁材
６）その他
等に好適に利用することができる。